(57)【要約】【課題】ヒートポンプサイクルの運転効率（ＣＯＰ）を低下させることのない、高効率な沸き上げ運転が可能なヒートポンプ給湯機を提供すること。【解決手段】本発明のヒートポンプ給湯機は、ヒートポンプサイクルを有するヒートポンプユニット１と、湯水を貯える貯湯タンクを有するタンクユニット２と、タンクユニット２からヒートポンプユニット１へ送られる湯水が流通する水側配管１１と、ヒートポンプユニット１からタンクユニット２へ送られる湯水が流通する湯側配管１２と、湯側配管１２とヒートポンプユニット１とを接続するヒートポンプ湯側接続手段とを備え、ヒートポンプユニット１の筐体１７の一部を凸形状２４とし、ヒートポンプ湯側接続手段は凸形状２４を介して筐体１７に配設される。【選択図】図２
2009293855.tif 000002
【特許請求の範囲】
【請求項１】
ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプユニットの筐体の一部を凸形状とし、前記ヒートポンプ湯側接続手段は前記凸形状を介して前記筐体に配設されることを特徴とするヒートポンプ給湯機。
【請求項２】
前記水側配管と前記ヒートポンプユニットの給水配管とを接続するヒートポンプ水側接続手段を備え、前記ヒートポンプユニットの筐体の一部を凸形状とし、前記ヒートポンプ水側接続手段は前記凸形状を介して前記筐体に配設されることを特徴とする請求項１に記載のヒートポンプ給湯機。
【請求項３】
ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプ湯側接続手段の一部を凸形状とし、前記ヒートポンプ湯側接続手段は前記凸形状を介して前記筐体に配設されることを特徴とするヒートポンプ給湯機。
【請求項４】
前記水側配管と前記ヒートポンプユニットの給水配管とを接続するヒートポンプ水側接続手段を備え、前記ヒートポンプ水側接続手段の一部を凸形状とし、前記ヒートポンプ水側接続手段は前記凸形状を介して前記筐体に配設されることを特徴とするヒートポンプ給湯機。
【請求項５】
前記ヒートポンプユニットと湯側配管および／または前記ヒートポンプユニットと水側配管の間に設けた凸形状を、前記タンクユニットと湯側配管との間および／または前記タンクユニットと水側配管との間に設けたことを特徴とする請求項１〜４のいずれか１項に記載のヒートポンプ給湯機。
【請求項６】
前記ヒートポンプ湯側接続手段と前記ヒートポンプ水側接続手段とは、前記ヒートポンプユニットの筐体上で上下または左右または斜め方向に並んで配設されるとともに、前記ヒートポンプ湯側接続手段と前記ヒートポンプ水側接続手段との間で、かつ前記ヒートポンプユニットの筐体上に開口部を設けたことを特徴とする請求項１〜５のいずれか１項に記載のヒートポンプ給湯機。
【発明の詳細な説明】
【技術分野】
【０００１】
本発明は、ヒートポンプで沸き上げたお湯を貯湯タンクに貯えて、給湯に利用できるヒートポンプ給湯機に関するものである。
【背景技術】
【０００２】
従来、ヒートポンプで沸き上げたお湯を給湯に利用できるヒートポンプ給湯機として、図５に示すようなものがある。図５に示すように、このヒートポンプ給湯機は、ヒートポンプユニット１０１とタンクユニット１０２とを、水側配管１１１と湯側配管１１２とで接続して構成されている（例えば、特許文献１参照）。
【０００３】
外部の水道管から給水された水は、タンクユニット１０２の貯湯タンク１０８の底部に供給され、貯湯タンク１０８内の湯水の沸き上げ時には、貯湯タンク１０８の底部の低温水が、水ポンプ１０９を駆動することによってヒートポンプユニット１０１内の給湯熱交換器１０４へ搬送される。そして、給湯熱交換器１０４で高温冷媒と熱交換して高温湯となり、その後、ヒートポンプユニットから湯側配管１１２を経て、貯湯タンク１０８に湯として貯えられる。
【０００４】
また、図６は非特許文献１に記載されているヒートポンプユニットとタンクユニットとの接続図である。図６に示すように、一端がタンクユニット１０２に接続されている水側配管１１１および湯側配管１１２の他端にアダプター１２０ａおよび１２０ｂが取り付けられており、ヒートポンプユニット１０１に搭載され高温水を生成する給湯熱交換器１０４の湯水が流れる流路の低温側端部に接続口１２１ａ、高温側端部に接続口１２１ｂが取り付けられている。そして接続口１２１ａ（１２１ｂ）とアダプター１２０ａ（１２０ｂ）とを接続することによって、水側配管１１１および湯側配管１１２をヒートポンプユニット１０１に接続することができ、タンクユニット１０２の水回路と結合される（例えば、非特許文献１参照）。
【０００５】
図７は、図６のＡ部拡大図であり、ヒートポンプユニット１０１の筐体に接続口１２１ａ（１２１ｂ）を取り付けた図を示したものである。図７に示すように、従来のヒートポンプ給湯機においては、ヒートポンプユニット１０１の筐体に接続口１２１ａ（１２１ｂ）が直接取り付けられている。
【特許文献１】特開２００８−２５９４７号公報
【非特許文献１】Ｎａｔｉｏｎａｌヒートポンプ給湯機（システム品番：ＨＥ−Ｄ３７ＡＹＳ）工事説明書、松下電器産業株式会社、２００７年、ｐ．１４
【発明の開示】
【発明が解決しようとする課題】
【０００６】
しかしながら、従来のヒートポンプ給湯機のように、ヒートポンプユニットの筐体に接続口１２１ｂが直接取り付けられていると、給湯熱交換器で生成された高温湯の熱が、接続口１２１ｂより外部に放熱されるとともに、接続口１２１ｂとヒートポンプユニットの筐体とが接しているので、接続口１２１ｂから外部の空気中に放熱されるだけでなく、ヒートポンプユニットの筐体へも熱が伝導してしまい、ヒートポンプユニットの筐体から外部の空気中に放熱されてしまう。
【０００７】
そして、図６に示すように、ヒートポンプユニット１０１に取り付けられている低温側の接続口１２１ａと高温側の接続口１２１ｂとが近傍になるように配設されているので、高温側接続口１２１ｂから放熱された熱が、ヒートポンプユニット１０１の筐体を介して
低温側接続口１２１ａへと伝わり、ひいては給湯熱交換器１０４へ供給される低温水の温度を上げてしまう。
【０００８】
しかし、ヒートポンプを熱源として使用している給湯機ゆえに、給湯熱交換器１０４へ供給される湯水の温度が上昇してしまうと、ヒートポンプサイクルの運転効率（ＣＯＰ）を低下させてしまうという課題を有していた。
【０００９】
本発明は、前記従来の課題を解決するもので、ヒートポンプサイクルの運転効率（ＣＯＰ）を低下させることのない、高効率な沸き上げ運転が可能なヒートポンプ給湯機を提供することを目的とする。
【課題を解決するための手段】
【００１０】
前記従来の課題を解決するために、本発明のヒートポンプ給湯機は、ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプユニットの筐体の一部を凸形状とし、前記ヒートポンプ湯側接続手段は前記凸形状を介して前記筐体に配設されることにより、前記ヒートポンプ湯側接続手段がヒートポンプユニットの筐体に触れる接触面積を小さくすることができるので、高温湯からヒートポンプ湯側接続手段を介してヒートポンプユニットの筐体への放熱量を低減することができ、ひいては、ヒートポンプサイクルの運転効率を向上させることができる。
【００１１】
また、前記従来の課題を解決するために、本発明のヒートポンプ給湯機は、ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプ湯側接続手段の一部を凸形状とし、前記ヒートポンプ湯側接続手段は前記凸形状を介して前記筐体に配設されることにより、前記ヒートポンプ湯側接続手段がヒートポンプユニットの筐体に触れる接触面積を小さくすることができるので、高温湯からヒートポンプ湯側接続手段を介してヒートポンプユニットの筐体への放熱量を低減することができ、ひいては、ヒートポンプサイクルの運転効率を向上させることができる。
【発明の効果】
【００１２】
本発明は、ヒートポンプサイクルの運転効率（ＣＯＰ）を低下させることのない、高効率な沸き上げ運転が可能なヒートポンプ給湯機を提供することができる。
【発明を実施するための最良の形態】
【００１３】
第１の発明のヒートポンプ給湯機は、ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプユニットの筐体の一部を凸形状とし、前記ヒートポンプ湯側接続手段は前記凸形状を介して前記筐体に配設されることにより、前記ヒートポンプ湯側接続手段がヒートポンプユニットの筐体に触れる接触面積を小さくすることができるので、高温湯からヒートポンプ湯側接続手段を介してヒートポンプユニットの筐体への放熱量を低減することができ、ひい
ては、ヒートポンプサイクルの運転効率を向上させることができる。
【００１４】
第２の発明のヒートポンプ給湯機は、特に第１の発明において、前記水側配管と前記ヒートポンプユニットの給水配管とを接続するヒートポンプ水側接続手段を備え、前記ヒートポンプユニットの筐体の一部を凸形状とし、前記ヒートポンプ水側接続手段は前記凸形状を介して前記筐体に配設されることにより、低温側のヒートポンプ水側接続手段とヒートポンプユニットの筐体との接触面積を小さくすることができるので、低温水側への熱伝導を抑制することができる。
【００１５】
第３の発明のヒートポンプ給湯機は、ヒートポンプサイクルを有するヒートポンプユニットと、湯水を貯える貯湯タンクを有するタンクユニットと、前記タンクユニットから前記ヒートポンプユニットへ送られる湯水が流通する水側配管と、前記ヒートポンプユニットから前記タンクユニットへ送られる湯水が流通する湯側配管と、前記湯側配管と前記ヒートポンプユニットとを接続するヒートポンプ湯側接続手段とを備え、前記ヒートポンプ湯側接続手段の一部を凸形状とし、前記ヒートポンプ湯側接続手段は前記凸形状を介して前記筐体に配設されることにより、前記ヒートポンプ湯側接続手段がヒートポンプユニットの筐体に触れる接触面積を小さくすることができるので、高温湯からヒートポンプ湯側接続手段を介してヒートポンプユニットの筐体への放熱量を低減することができ、ひいては、ヒートポンプサイクルの運転効率を向上させることができる。
【００１６】
第４の発明のヒートポンプ給湯機は、特に第３の発明において、前記水側配管と前記ヒートポンプユニットの給水配管とを接続するヒートポンプ水側接続手段を備え、前記ヒートポンプ水側接続手段の一部を凸形状とし、前記ヒートポンプ水側接続手段は前記凸形状を介して前記筐体に配設されることにより、低温側のヒートポンプ水側接続手段とヒートポンプユニットの筐体との接触面積を小さくすることができるので、低温水側への熱伝導を抑制することができる。
【００１７】
第５の発明のヒートポンプ給湯機は、特に第１〜第４のいずれかの発明において、前記ヒートポンプユニットと湯側配管および／または前記ヒートポンプユニットと水側配管の間に設けた凸形状を、前記タンクユニットと湯側配管との間および／または前記タンクユニットと水側配管との間に設けたことにより、タンクユニットでもヒートポンプユニットで発生する熱伝導を抑制することができるので、さらに沸き上げ効率を向上させることができる。
【００１８】
第６の発明のヒートポンプ給湯機は、特に第１〜第５のいずれかの発明において、前記水側配管と前記ヒートポンプユニットの給水配管とを接続するヒートポンプ水側接続手段を備え、前記ヒートポンプ湯側接続手段と前記ヒートポンプ水側接続手段とは、前記ヒートポンプユニットの筐体上で上下または左右または斜め方向に並んで配設されるとともに、前記ヒートポンプ湯側接続手段と前記ヒートポンプ水側接続手段との間で、かつ前記ヒートポンプユニットの筐体上に開口部を設けたことにより、開口部によってヒートポンプユニットの筐体を介して低温水の温度を上げることを確実に防止することができる。
【００１９】
以下、本発明の実施の形態について、図面を参照しながら説明する。なお、この実施の形態によって本発明が限定されるものではない。
【００２０】
（実施の形態１）
図１は、本実施の形態におけるヒートポンプ給湯機の構成図である。図１において、本実施の形態におけるヒートポンプ給湯機は、ヒートポンプユニット１およびタンクユニット２を有しており、ヒートポンプユニット１とタンクユニット２は、低温湯が流れる水側配管１１と高温湯が流れる湯側配管１２で接続されている。
【００２１】
次に、ヒートポンプユニット１の構成について説明する。ヒートポンプユニット１は、冷媒を圧縮する圧縮機３、高温高圧冷媒と低温水とが熱交換を行う給湯熱交換器４、冷媒を減圧する膨張弁５、大気から吸熱する蒸発器６を有しており、圧縮機３、給湯熱交換器４の冷媒流路、膨張弁５、蒸発器６を順次冷媒配管で環状に接続してヒートポンプサイクル２５を形成している。そして蒸発器６に空気を送るための送風ファン７を有しており、送風ファン７が駆動することによって蒸発器６での冷媒と空気との熱交換を促進している。また本実施の形態においては、ヒートポンプサイクル２５内に充填する冷媒として二酸化炭素を使用するが、本発明は二酸化炭素に限定されるものではなく、湯を生成することのできる冷媒であればどのような冷媒を用いても問題はなく、また本発明は冷媒の種類を限定するものでもない。
【００２２】
このように構成されたヒートポンプサイクルの動作について説明する。圧縮機３から吐出された高温高圧のガス冷媒は、給湯熱交換器４において貯湯タンク８から搬送された水と熱交換して液または液ガス二相状態となり、膨張弁５で減圧されて低温低圧の液ガス二相冷媒となる。その後、蒸発器６において、送風ファン７により蒸発器６に供給された空気と熱交換し、冷媒は空気より吸熱して圧縮機３に戻るというヒートポンプサイクルの動作を繰り返す。
【００２３】
一方、タンクユニット２は、湯水を貯える貯湯タンク８、貯湯タンク８内の低温水をヒートポンプユニット１内の給湯熱交換器４へ搬送するための循環ポンプ９、貯湯タンク８内の高温水と、給水源から供給される水とを混合して、所定の温度の湯水を作り出す混合弁１０を有しており、貯湯タンク８の底部、循環ポンプ９、給湯熱交換器４の水流路、貯湯タンク８の上部を順次給湯配管で環状に接続して沸き上げ回路を形成している。なお、沸き上げ回路のうち低温側でヒートポンプユニットとタンクユニットとを接続する配管を水側配管１１とし、高温側でヒートポンプユニットとタンクユニットとを接続する配管を湯側配管１２としている。
【００２４】
混合弁１０にて適温に混合された湯水は、浴室、台所、洗面所などに給湯するための給湯配管（図示せず）へ供給される。なお、タンクユニット２には、外部の水道管（図示せず）が接続される給水口１８、給湯するための給湯配管が接続される湯口１９が設けられている。
【００２５】
このように構成されたタンクユニットにおける沸き上げ動作について説明する。循環ポンプ９を駆動することによって、貯湯タンク８底部の低温水は、水側配管１１を介して給湯熱交換器４に搬送され、ここでヒートポンプサイクルの高温冷媒と熱交換して、高温の湯となり、湯側配管１２を介して貯湯タンク８の上部に戻される。
【００２６】
ヒートポンプユニット１の外郭を構成する筐体１７の側面には、水側配管１１と接続する接続口１３ａと、湯側配管１２と接続する接続口１３ｂが設けられている。また、タンクユニット２には、水側配管１１と接続する接続口１３ｃと、湯側配管１２と接続する接続口１３ｄが設けられている。次に、この接続口１３ａおよび接続口１３ｂの配設方法について説明する。
【００２７】
図２は、図１のＸ部拡大図であり、ヒートポンプユニット１の湯側配管１２の接続部近傍の断面略図を示したものである。図２に示すように、給湯熱交換器４から延伸する給湯配管の高温側端部２１は、筐体１７に設けた配管取り出し口２２ｂから取り出すとともに、その最端部を接続口１３ｂと接続している。なお、高温湯側の配管の接続口１３ｂについて説明するが、低温側の配管の接続口１３ａについても同様の構成を取るものとし、低温側の接続口１３ａの場合は、給湯熱交換器４から延伸する給湯配管の低温側端部を、筐
体１７に設けた配管取り出し口２２ａから取り出し、その最端部を接続口１３ａと接続している。
【００２８】
一方、水側配管１１のヒートポンプユニットとの接続側の最端部にはアダプタ２３ａ、湯側配管１２のヒートポンプユニットとの接続側の最端部にはアダプタ２３ｂが設けられており、アダプタ２３ａと接続口１３ａとを接続、さらにアダプタ２３ｂと接続口１３ｂとを接続することによって、ヒートポンプユニット１とタンクユニット２とを水側配管１１と湯側配管１２とで接続することができる。本発明では、ヒートポンプ水側接続手段は、アダプタ２３ａと接続口１３ａで構成され、ヒートポンプ湯側接続手段は、アダプタ２３ｂと接続口１３ｂで構成されている。
【００２９】
次に、筐体１７と接続口１３ｂとの接触部について説明する。本発明は、筐体１７と接続口１３ｂとの接触部の一部に、複数の凸部２４を設けている。本発明の凸部２４は、円錐形状にプレス加工され形成しているが、これに限定されることなく、筐体１７の平面部に対して凸形状が形成されていればよいので、例えば、円形状である配管取り出し口２２ｂの周囲をさらに円形状で囲むように凸形状を形成してもよい。また配管取り出し口２２ｂが円形状でなくても、その形状の周囲を囲むように凸形状を形成すればよい。
【００３０】
そして本発明は図２に示すように、接続口１３ｂと筐体１７との接触は、筐体１７に形成した凸部２４を介して接触する構成となっている。そして湯側配管１２には、給湯熱交換器４で加熱された６５℃〜９０℃位の湯が流れるため、接続口１３ｂには給湯熱交換器４で加熱されたばかりの高温湯が供給されるため、接続口１３ｂから外部へ放熱してしまう。よって、接続口１３ｂと筐体１７とが接触するヒートポンプユニットの構成では、接続口１３ｂからの熱が筐体１７へ伝導されてしまうが、本発明では、接続口１３ｂと筐体１７との接触を最小限の接触で留めることができ、ひいては熱伝導面積を小さくすることができる。つまり、凸部２４が筐体１７への熱伝導防止手段として機能する構成としている。
【００３１】
ここで、ヒートポンプを熱源として持つ貯湯式給湯機の特徴について説明する。ヒートポンプサイクルを構成する給湯熱交換器４へは、低温水を供給すれば冷媒の熱を効率よく回収することができるため、非常に効率がよくなる一方、中温水や高温水を供給すれば、冷媒からの熱回収効率を非常に悪くしてしまう。このようにヒートポンプを熱源とした場合の特有の課題として、如何に給湯熱交換器４へ中温水や高温水を送ることを防ぎ、効率よく冷媒の熱を回収できるかという課題が生じてくる。
【００３２】
しかしながら、上記で述べたように、従来のヒートポンプ給湯機では、筐体と接続口の接触面積が大きいため、接続口（つまり、ヒートポンプユニットから高温湯が出る出口）から筐体への放熱量が多くなってしまい、その熱が筐体１７を介して、タンクユニットからヒートポンプユニットへ送られる水へ伝導してしまい、給湯熱交換器へ供給される水の温度が上昇してしまい、非常に効率が悪くなってしまう。
【００３３】
また、接続口から筐体への放熱量を抑制するためには、接続口と筐体との間に断熱材を挿入する方法も考えられるが、このような方法では非常にコストが高く、また組み立て工数も増えてしまい非常に生産性の悪いヒートポンプ給湯機となってしまう。
【００３４】
そのため、本発明のように、筐体１７に凸部２４を形成するだけで、接続口１３ｂと筐体１７との接触面積を最小限に抑えることができ、接続口１３ｂから筐体１７への放熱を防ぎ、その結果、筐体１７から接続口１３ａへ伝導される熱を抑えることができるので、給湯熱交換器４へ供給される水の温度を上昇させることがなく、非常に効率のよいヒートポンプ給湯機を提供することができる。
【００３５】
さらに、図２に示すように、接続口１３ｂ（高温水流出口）と筐体１７との間に凸部２４を設けるだけでなく、接続口１３ａと筐体１７との間に凸部２４を設けることで、さらに筐体１７から接続口１３ａ（低温水流入口）への熱の伝導を抑制することができ、さらに効率のよいヒートポンプ給湯機を提供することができる。
【００３６】
また、貯湯タンク８内の水を全て湯に沸き上げる運転（全量沸き上げ）を行う場合には、運転終了直前には、給湯熱交換器４へ供給される湯の温度も５０〜６０℃と比較的高温になる。そこで、ヒートポンプユニット1の水側配管１１の接続部１３ａと、ヒートポンプユニット1の筐体１７との間にプレス加工された凸部２４があることで、接続部１３ａと筐体１７との接触面積が非常に小さくなり、比較的高温となった水側配管１１内の水の熱がヒートポンプユニット1の筐体１７への熱伝導を抑制し、ひいては空気中に放熱される熱損失を低減することができる。
【００３７】
図３は、ヒートポンプユニット１の側面拡大図である。図３に示すように接続口１３ａおよび接続口１３ｂにそれぞれ、アダプタ２３ａおよびアダプタ２３ｂを矢印方向から接続することで、ヒートポンプユニット１に水側配管１１と湯側配管１２とを接続することができる。また、水側配管１１および湯側配管１２にはそれぞれ、熱の放熱を防止するための断熱材３１および断熱材３２が周囲を覆っている。
【００３８】
なお、これまでヒートポンプユニット１と水側配管１１および湯側配管１２との接続について説明してきたが、タンクユニット２と水側配管１１および湯側配管１２との接続も同様であり、接続口１３ｃおよび１３ｄとアダプタ（図示せず）にてタンクユニット２内の給湯配管と、水側配管１１および湯側配管１２と接続する構成となっている。そしてタンクユニット２の筐体についても、ヒートポンプユニット１の筐体に設けた凸形状を施している。よって、タンクユニット２においても凸部を介して湯側配管１２および水側配管１１を接続しているので、ヒートポンプユニット１の筐体１７へ熱が伝導するのを防止するのと同じように、タンクユニット２の筐体へ熱が伝導するのを防止することができるのは言うまでもない。
【００３９】
図３に示すように、水側配管１１を接続する接続口１３ａと、湯側配管１２を接続する接続口１３ｂとが上下に配設されており、その間に、溝状の開口部３３が設けられている。このように、開口部３３を設けることにより、接続口１３ｂ（高温水流出口）から接続口１３ａ（低温水流入口）へ伝道する熱を遮断することができ、さらに低温水の上昇を抑えることができる。その結果、さらに沸き上げ効率を向上させることができ、非常に効率のよいヒートポンプ給湯機を提供することができる。
【００４０】
なお、接続口１３ａと接続口１３ｂとが上下に配設されているため、図３に示すような開口部３３を設けているが、これに限定されることはなく、例えば、接続口１３ａと接続口１３ｂとが斜め方向に配設、もしくは接続口１３ａと接続口１３ｂとが左右に配設していたとしても、それぞれ配設されている接続口の間に開口部を設けることによって、高温側から低温側への熱の伝導を抑制することができる。
【００４１】
以上のように、本実施の形態におけるヒートポンプ給湯機によれば、湯側配管１２内の湯の熱が、ヒートポンプユニット1の筐体１７やタンクユニット２の筐体へ熱伝導することを抑制し、湯側配管１２内の湯の熱が、水側配管１１内の水に伝わって温度を上昇させることを抑制してヒートポンプユニット１の沸き上げ運転効率が低下することを防止できる。さらに、熱伝導防止手段として、高価な断熱材を使用しないため、収益性が上がり、また組立時の欠品も防止でき、さらに生産性を向上させることができる。
【００４２】
（実施の形態２）
実施の形態２におけるヒートポンプ給湯機において、実施の形態１におけるヒートポンプ給湯機と異なる点は、水側配管１１および湯側配管１２をヒートポンプユニットおよび／またはタンクユニットへ接続するための接続手段の形状が異なる点であり、その他の機能および構成については実施の形態１と同じであるため、同じ符号を付してその説明を省略する。
【００４３】
図４は、図１に示すヒートポンプユニット１のＸ部拡大図であり、ヒートポンプユニット１の水側配管１１および湯側配管１２の接続部近傍の断面略図を示したものである。図４において実施の形態１と異なる点は、ヒートポンプユニット１の筐体１７に凸部を設けておらず、代わりにヒートポンプ湯側接続手段およびヒートポンプ水側接続手段に凸部２５を設けている。詳しくは、ヒートポンプ水側接続手段を構成する接続口１３ａ、ヒートポンプ湯側接続手段を構成する接続口１３ｂに凸部２５を形成している。
【００４４】
次に、凸部２５を形成する箇所について説明する。なお接続口１３ａおよび接続口１３ｂの凸部２５を形成する箇所は同じであるため、ここでは接続口１３ａの凸部２５を形成する箇所について説明する。
【００４５】
凸部２５は、接続口１３ａを配管取り出し口２２ａから取り出した給湯熱交換器の配管の端部に接続した時に、筐体１７に対向する位置に設ける。その結果、接続口１３ａを筐体１７に接触して螺子止めしたときには、接続口１３ａは凸部２５で筐体１７に支持し、接続口１３ａが安定して支持される。なお、本実施の形態においては、凸部２５は、略円錐形状の凸部としているが、これに限定されることなく、例えば、接続口１３ａの筐体１７に対向する位置に隆起部を設けるだけであっても、接続口１３ａと筐体１７との接触面積を小さくすることができるので、同様の効果を奏することができる。さらに凸部２５の凸形状は、略円錐形状に限定されることはなく、直線状、円状等を用いることもできる。
【産業上の利用可能性】
【００４６】
以上のように、本発明はヒートポンプ式の給湯機を実現する上で非常に重要である沸き上げ効率を向上させるとともに、ヒートポンプユニットおよびタンクユニットを介して高温水の熱を外部へ逃がすことを抑制することができる。
【図面の簡単な説明】
【００４７】
【図１】本発明の実施の形態１におけるヒートポンプ給湯機の構成図
【図２】同実施の形態におけるＸ部拡大図
【図３】同実施の形態におけるヒートポンプユニット側面要部拡大図
【図４】本発明の実施の形態２における
【図５】従来のヒートポンプ給湯機の構成図
【図６】従来のヒートポンプユニットとタンクユニットとの接続図
【図７】図６のＡ部拡大図
【符号の説明】
【００４８】
１  ヒートポンプユニット
２  タンクユニット
３  圧縮機
４  給湯熱交換器
５  膨張弁
６  蒸発器
７  送風ファン
８  貯湯タンク
９  循環ポンプ
１０  混合弁
１１  水側配管
１２  湯側配管
１３ａ  接続口（低温水流入口）
１３ｂ  接続口（高温水流出口）
１３ｃ  接続口（低温水流出口）
１３ｄ  接続口（高温水流入口）
１７  筐体（ヒートポンプユニット）
１８  給水口
１９  湯口
２２ａ  配管取り出し口
２２ｂ  配管取り出し口
２３ａ  アダプター
２３ｂ  アダプター
２４  凸部
２５  凸部
３１  断熱材
３２  断熱材
３３  開口部
【図１】
2009293855.tif 000003
【図２】
2009293855.tif 000004
【図３】
2009293855.tif 000005
【図４】
2009293855.tif 000006
【図５】
2009293855.tif 000007
【図６】
2009293855.tif 000008
【図７】
2009293855.tif 000009